(57)【特許請求の範囲】
【請求項１】
ロフト角が異なる複数の番手により構成されたゴルフクラブを有するゴルフクラブセットに含まれるゴルフクラブであって、
シャフトと、
ゴルフクラブヘッドと、を有し、
前記ゴルフクラブヘッドは、
クラウン部と、
フェース部と、
ソール部と、
前記シャフトが取り付けられるホーゼル部と、を備え、
前記ゴルフクラブセットに含まれる複数のゴルフクラブのうち、少なくとも一組の隣接する番手のゴルフクラブにおいて、
番手が大きいゴルフクラブにおける前記フェース部の平面視でのフェース−バック方向の長さが、番手が小さいゴルフクラブにおける前記フェース部の平面視でのフェース−バック方向の長さよりも大きく、当該長さの差がΔＡｍｍであり、
前記複数のゴルフクラブにおいて、前記番手が大きいゴルフクラブのフェースプログレッションが、前記番手が小さいゴルフクラブのフェースプログレッションよりも大きく、当該フェースプログレッションの差がΔＢｍｍであるとき、
（１／３）×ΔＡ≦ΔＢ≦（２／３）×ΔＡ、を充足し、
前記ゴルフクラブセットに含まれる前記各ゴルフクラブヘッドの平面視におけるフェース−バック方向の長さが、略同じである、ゴルフクラブ。
【請求項２】
前記ΔＡ及び前記ΔＢは、（５／１２）×ΔＡ≦ΔＢ≦（７／１２）×ΔＡを充足する、請求項１に記載のゴルフクラブ。
【請求項３】
前記ゴルフクラブセットに含まれる前記ゴルフクラブのロフト角は、１５〜３０度である、請求項１または２に記載のゴルフクラブ。
【請求項４】
ロフト角が異なる複数の番手により構成されたゴルフクラブを有するゴルフクラブセットであって、
前記各ゴルフクラブは、シャフトと、ゴルフクラブヘッドと、を有し、
前記各ゴルフクラブヘッドは、
クラウン部と、
フェース部と、
ソール部と、
前記シャフトが取り付けられるホーゼル部と、を備え、
前記複数のゴルフクラブのうち、少なくとも一組の隣接する番手のゴルフクラブにおいて、
番手が大きいゴルフクラブにおける前記フェース部の平面視でのフェース−バック方向の長さが、番手が小さいゴルフクラブにおける前記フェース部の平面視でのフェース−バック方向の長さよりも大きく、当該長さの差がΔＡｍｍであり、
前記複数のゴルフクラブにおいて、前記番手が大きいゴルフクラブのフェースプログレッションが、前記番手が小さいゴルフクラブのフェースプログレッションよりも大きく、当該フェースプログレッションの差がΔＢｍｍであるとき、
（１／３）×ΔＡ≦ΔＢ≦（２／３）×ΔＡ、を充足し、
前記ゴルフクラブセットに含まれる前記各ゴルフクラブヘッドの平面視におけるフェース−バック方向の長さが、略同じである、ゴルフクラブセット。
【発明の詳細な説明】
【技術分野】
【０００１】
本発明は、ゴルフクラブ及びゴルフクラブセットに関する。
【背景技術】
【０００２】
複数の番手で構成されたゴルフクラブセットは、一般的には、ロフト角が大きい高番手のクラブほど、フェースプログレッションが大きくなるように設計される。しなしながら、フェースプログレッションが大きくなると、アドレス時にリーディングエッジが前方に突き出た状態になるため、構えにくいという問題がある。
【０００３】
そこで、特許文献１に係るゴルフクラブセットは、複数の番手でフェースプログレッションを一定にするようにしている。フェースプログレッションが一定になると、アドレス時に高番手のクラブを構えやすくなるという利点がある。
【先行技術文献】
【特許文献】
【０００４】
【特許文献１】特開２０１２−６１３５号公報
【発明の概要】
【発明が解決しようとする課題】
【０００５】
しかしながら、フェースプログレッションが一定になると、フェース部に対する、フェース−バック方向のホーゼル部の位置が番手間で大きく異なることになる。そのため、番手を変えて打撃を行うとき、例えば、低番手のクラブで打撃を行った後に、高番手のクラブで打撃を行ったときに違和感が生じ、打撃時のインパクトのタイミングがずれるという問題が生じ得る。本発明は、上記問題を解決するためになされたものであり、高番手のクラブでも構えやすく、また番手を変えてもインパクトのタイミングがずれにくい、ゴルフクラブ及びゴルフクラブセットを提供することを目的とする。
【課題を解決するための手段】
【０００６】
本発明に係るゴルフクラブは、ロフト角が異なる複数の番手により構成されたゴルフクラブを有するゴルフクラブセットに含まれるゴルフクラブであって、シャフトと、ゴルフクラブヘッドと、を有し、前記ゴルフクラブヘッドは、クラウン部と、フェース部と、ソール部と、前記シャフトが取り付けられるホーゼル部と、を備え、前記ゴルフクラブセットに含まれる複数のゴルフクラブのうち、少なくとも一組の隣接する番手のゴルフクラブにおいて、番手が大きいゴルフクラブにおける前記フェース部の平面視でのフェース−バック方向の長さが、番手が小さいゴルフクラブにおける前記フェース部の平面視でのフェース−バック方向の長さよりも大きく、当該長さの差がΔＡｍｍであり、前記複数のゴルフクラブにおいて、前記番手が大きいゴルフクラブのフェースプログレッションが、前記番手が小さいゴルフクラブのフェースプログレッションよりも大きく、当該フェースプログレッションの差がΔＢｍｍであるとき、（１／３）×ΔＡ≦ΔＢ≦（２／３）×ΔＡ、を充足する。
【０００７】
なお、本発明で規定される「ゴルフクラブセット」とは、複数のゴルフクラブが、必ずしも同時に販売されるものでなくてもよく、個別に販売されるものであってもよい。すなわち、少なくとも同じシリーズの中で異なるロフト角のゴルフクラブの組み合わせとして認識されるものであればよく、本発明に係るゴルフクラブは、そのうちの１つであればよい。
【０００８】
上記ゴルフクラブにおいては、前記ΔＡ及び前記ΔＢは、（５／１２）×ΔＡ≦ΔＢ≦（７／１２）×ΔＡを充足することが好ましい。
【０００９】
また、上記各ゴルフクラブにおいて、前記ゴルフクラブセットに含まれる前記ゴルフクラブのロフト角は、１５〜３０度とすることができる。
【００１０】
本発明に係るゴルフクラブセットは、ロフト角が異なる複数の番手により構成されたゴルフクラブを有するゴルフクラブセットであって、前記各ゴルフクラブは、シャフトと、ゴルフクラブヘッドと、を有し、前記各ゴルフクラブヘッドは、クラウン部と、フェース部と、ソール部と、前記シャフトが取り付けられるホーゼル部と、を備え、前記複数のゴルフクラブのうち、少なくとも一組の隣接する番手のゴルフクラブにおいて、番手が大きいゴルフクラブにおける前記フェース部の平面視でのフェース−バック方向の長さが、番手が小さいゴルフクラブにおける前記フェース部の平面視でのフェース−バック方向の長さよりも大きく、当該長さの差がΔＡｍｍであり、前記複数のゴルフクラブにおいて、前記番手が大きいゴルフクラブのフェースプログレッションが、前記番手が小さいゴルフクラブのフェースプログレッションよりも大きく、当該フェースプログレッションの差がΔＢｍｍであるとき、（１／３）×ΔＡ≦ΔＢ≦（２／３）×ΔＡ、を充足する。
【発明の効果】
【００１１】
本発明によれば、高番手のクラブでも構えやすく、また番手を変えてもインパクトのタイミングがずれにくくすることができる。
【図面の簡単な説明】
【００１２】
【図１】本発明の一実施形態に係るゴルフクラブセットのうちの１つのゴルフクラブヘッドの基準状態の斜視図である。
【図２】図１の平面図である。
【図３】本実施形態に係るゴルフクラブセットの一例であり、基準状態にあるゴルフクラブヘッドの平面図（ａ）、及び側面図（ｂ）である。
【図４】本実施形態に係るゴルフクラブセットと、従来のゴルフクラブセットとを対比した平面図である。
【図５】本実施形態に係るゴルフクラブセットの平面図である。
【発明を実施するための形態】
【００１３】
以下、本発明に係るゴルフクラブセットの一実施形態について、図面を参照しつつ説明する。本実施形態に係るゴルフクラブセットを構成するゴルフクラブは、ユーティリティ型のゴルフクラブ）であり、例えば、２〜６番ユーティリティである。そして、後述するように、各クラブは、主として、ロフト角、ホーゼル部の位置などが相違している。以下では、まず、ゴルフクラブの１つを例に取り、共通の構造を概説した後、ゴルフクラブセットにおける、番手ごとの相違点について、詳細に説明する。
【００１４】
＜１．ゴルフクラブヘッドの概要＞
まず、本実施形態に係るゴルフクラブセットのうちの１つのゴルフクラブ（３番ユーティリティ）を例に取り、そのゴルフクラブヘッドについて説明する。図１は本実施形態に係るゴルフクラブセットのうちの１つのゴルフクラブヘッドの基準状態の斜視図、図２は図１の平面図である。なお、ゴルフクラブヘッドの基準状態については、後述する。
【００１５】
図１に示すように、このゴルフクラブヘッド（以下、単に「ヘッド」ということがある）は、中空構造であり、フェース部１、クラウン部２、ソール部３、サイド部４、及びホーゼル部５によって壁面が形成されている。
【００１６】
フェース部１は、ボールを打球する面であるフェース面を有しており、クラウン部２はフェース部１と隣接し、ヘッドの上面を構成する。ソール部３は、ヘッドの底面を構成し、フェース部１及びサイド部４と隣接する。また、サイド部４は、クラウン部２とソール部３との間の部位であり、フェース部１のトウ側からヘッドのバック側を通りフェース部１のヒール側へと延びる部位である。さらに、ホーゼル部５は、クラウン部２のヒール側に隣接して設けられる部位であり、ゴルフクラブのシャフト（図示省略）が挿入される挿入孔５１を有している。そして、この挿入孔５１の中心軸線Ｚは、シャフトの軸線に一致している。
【００１７】
ここで、上述した基準状態について説明する。まず、図１及び図２に示すように、上記中心軸線Ｚが地面（水平面）に対して垂直な平面Ｐ１に含まれ、且つ所定のライ角及びリアルロフト角で地面上にヘッドが載置された状態を基準状態と規定する。そして、上記平面Ｐ１を基準垂直面と称する。また、図２に示すように、上記基準垂直面Ｐ１と地面との交線の方向をトウ−ヒール方向と称し、このトウ−ヒール方向に対して垂直であり且つ地面に対して平行な方向をフェース−バック方向と称することとする。なお、本実施形態に係るゴルフクラブセットでは、一般的なゴルフクラブセットと同様に、クラブの番手が大きくなるほど、ロフト角が大きくなる。
【００１８】
本実施形態において、ソール部３とフェース部１、及びソール部３とサイド部４の境界は次のように定義することができる。すなわち、ソール部３とフェース部１、及びソール部３とサイド部４の間に稜線が形成されている場合には、これが境界となる。また、本実施形態に係るゴルフクラブヘッドでは、サイド部４を有しているが、例えば、サイド部４を有さず、ソール部３がクラウン部２と直接連結されている場合には、ソール部３とクラウン部２との間の稜線が、両者の境界となる。また、明確な稜線が形成されていない場合には、ヘッドを基準状態に設置し、これをヘッドの重心の真上から見たときの輪郭が境界となる。
【００１９】
なお、ヘッド体積の上限は特に定めないが、実用上、例えば５００ｃｍ3以下が望ましく、またＲ＆ＡやＵＳＧＡのルール規制に従う場合には４７０ｃｍ3以下が望ましい。
【００２０】
また、ヘッドは、例えば、比重がほぼ４．４〜４．５程度のチタン合金（Ｔｉ−６Ａｌ−４Ｖ）で形成することができる。また、チタン合金以外にも、例えばステンレス鋼、マレージング鋼、アルミ合金、マグネシウム合金、またはアモルファス合金などの中から１種または２種以上を用いて形成することもできる。
【００２１】
なお、本実施形態に係るヘッドは、少なくともソール部３を有するヘッド本体と、他の部分を組み合わせることで構成される。例えば、フェース部１のみを別部材で構成してヘッド本体に取り付けることでヘッドを構成したり、あるいはクラウン部２やサイド部４に開口を設けたヘッド本体を形成し、この開口を別部材で塞ぐことでヘッドを構成することもできる。
【００２２】
＜２．ゴルフクラブセットにおける番手間の相違点＞
続いて、図３も参照しつつ、ゴルフクラブセットにおける番手間の相違点について説明する。図３は、基準状態にある複数のゴルフクラブヘッドの平面図（ａ）及び側面図（ｂ）である。なお、図３では、一例として、本実施形態に係るゴルフクラブセットのうち、番手が隣接する３つのゴルフクラブのヘッドを示しており、３番ユーティリティ（Ｕ＃３）、４番ユーティリティ（Ｕ＃４）、及び５番ユーティリティ（Ｕ＃５）が、上から下へこの順で並んでいる。なお、図３も含め、番手間の相違を説明する後述の図４，図５は、発明の特徴を明確にするため、各ヘッドをやや誇張して記載している。したがって、表１などに示す実際の角度、形状などとは相違するが、これによって発明の本質が変わるものではない。
【００２３】
図３では、各ゴルフクラブヘッドのフェース部１のリーディングエッジＥの位置を揃えている。すなわち、各ゴルフクラブヘッドのフェース部１のリーディングエッジＥが線Ｘに接している。そして、すべてのゴルフクラブヘッドは、平面視において、フェース−バック方向の長さＬ（以下、「ヘッド幅」と称する）がほぼ同じとなるように形成されている。但し、このヘッド幅Ｌは、各番手のクラブで完全に同一である必要はなく、例えば、番手が大きくなるほど、ヘッド幅Ｌが小さくなるようにすることができる。このとき、ヘッド幅Ｌをできるだけ同じにするため、例えば、隣接する番手間で、番手の大きいクラブのヘッド幅Ｌが、番手の小さいクラブのヘッド幅Ｌの８０〜１００％であることが好ましく、９０〜１００％であることがさらに好ましく、９５〜１００％であることが特に好ましい。なお、ヘッド幅は、平面視でのフェース−バック方向の最大幅である。また、図３中の符号Ｌは、３番ユーティリティのヘッド幅を示している。
【００２４】
また、各ヘッドのフェース部１における平面視でのフェース−バック方向の長さＡ（以下、「フェース幅」と称する）は、番手が大きいクラブほど、長くなっている。このフェース幅Ａは、平面視でのフェース−バック方向の最大幅である。このように、本実施形態に係るゴルフクラブでは、各ヘッドのヘッド幅Ｌがほぼ同じであるにもかかわらず、フェース幅Ａは、番手が大きいクラブほど長くなっているため、各ヘッドの体積は、番手が大きいクラブほど、小さくなっている。
【００２５】
さらに、本実施形態では、各ヘッドのフェース部１のリーディングエッジＥとホーゼル部５との、平面視でのフェース−バック方向の距離Ｂ、つまりいわゆるフェースプログレッションが、番手が大きいクラブほど、長くなっている。
【００２６】
そして、本実施形態に係るゴルフクラブセットでは、上述したフェース幅Ａ及びフェースプログレッションＢについて、番手間で、次のような関係を充足する。すなわち、隣接する番手のヘッドにおいて、フェース幅Ａの差ΔＡと、フェースプログレッションＢの差ΔＢとが、以下の式（１）を充足するように、ヘッドが設計されており、特に、式（２）を充足することが好ましい。
（１／３）×ΔＡ≦ΔＢ≦（２／３）×ΔＡ            （１）
（５／１２）×ΔＡ≦ΔＢ≦（７／１２）×ΔＡ        （２）
【００２７】
一例として、本実施形態に係る３番ユーティリティ、４番ユーティリティ、及び５番ユーティリティのヘッド幅、ロフト角、ヘッドの体積、フェース幅、及びフェースプログレッションを、以下に示す。
【表１】
0006465573.tif 000002
【００２８】
表１によれば、番手間のΔＡ，ΔＢは、上記式（１）を充足している。
【００２９】
＜３．特徴＞
以下、本実施形態に係るゴルフクラブにより得られる効果について、図４を参照しつつ説明する。まず、従来のゴルフクラブのデザインについて説明する。ここで説明する従来のゴルフクラブセットは、上記実施形態と同様に、ユーティリティ型のゴルフクラブを含むものであり、その中から３番ウッド、４番ウッド、及び５番ウッドを例として挙げる。
【００３０】
（従来例１）
この例でのゴルフクラブセットのデザインは、図４（ａ）に示すように、すべての番手のクラブでフェース−バック方向における平面視でのクラウン部２の長さが同じになっている。そして、ロフト角が大きくなるにしたがって、上述したヘッド幅Ｌが大きくなっている。すなわち、フェース部１の上端位置はすべての番手で同じであるが、フェース部１の下端位置（リーディングエッジの位置）が変化するようになっている。また、ホーゼル部５は、すべての番手で、フェース−バック方向において、クラウン部２のフェース側の端部に配置されている。すなわち、フェースプログレッションＢは、番手が大きいクラブほど、大きい。
【００３１】
（従来例２）
この例でのゴルフクラブセットのデザインは、図４（ｂ）に示すように、すべての番手でヘッド幅Ｌが概ね同じである。そして、ロフト角が大きくなるにしたがって、上述したフェース幅Ａが長くなっている。すなわち、フェース部１の上端位置は番手間で変化しているが、フェース部１の下端位置が同じになっている。また、すべての番手において、フェースプログレッションが同じである。
【００３２】
（本実施形態に係るゴルフクラブセットと、従来例１，２との相違）
まず、従来例１，２では、それぞれ以下のような問題点がある。まず、従来例１では、番手が大きいクラブほど、フェースプログレッションＢが大きくなり、またヘッド幅Ｌが大きくなる。そのため、特に、高番手のクラブでは、アドレス時にリーディングエッジが前方に大きく突き出すため、構えにくいという問題がある。また、打撃時のインパクトのタイミングも番手間でずれるという問題がある。
【００３３】
従来例２では、フェースプログレッションＢは変化しないものの、フェース部１に対するホーゼル部５の位置が大きく変化するため、番手を変えて打撃するときの違和感が大きくなる。また、例えば、低番手のクラブで打撃を行った後に、高番手のクラブで打撃を行うと、高番手のクラブほどフェースが寝ているため、インパクトのタイミングがずれる可能性がある。
【００３４】
これに対して、本実施形態に係るゴルフクラブセットでは、図４（ｃ）に示すように、フェース長さＡの差ΔＡと、フェースプログレッションＢの差ΔＢとの関係を、上記式（１）のようにしている。そのため、番手間でのフェースプログレッションＢの差が小さく、しかも、フェース部１に対するホーゼル部５の位置の変化も小さい。したがって、高番手のクラブであっても、アドレス時に構えやすく、また、番手を変えて打撃しても、違和感を小さくすることができる。その結果、打撃時のインパクトのタイミングが番手間でずれるのを低減することができる。また、番手間でヘッド幅Ｌをほぼ同じにすることで、違和感を低減することもできる。
【００３５】
また、ΔＡ，ΔＢの関係が、上記式（２）を満たす場合、特に、ΔＢが１／２×ΔＡ付近である場合、図５に示すように、平面視において、フェース部１におけるフェース−バック方向の中心を通るトゥ−ヒール方向に平行な仮想直線Ｙとホーゼル部５との距離Ｌｈがほとんど同じになるため、打撃時のインパクトのタイミングが番手間でずれるのをさらに低減することができる。
【００３６】
＜５．変形例＞
以上、本発明の一実施形態について説明したが、本発明は上記実施形態に限定されるものではなく、その趣旨を逸脱しない限りにおいて、種々の変更が可能である。例えば、以下の変更が可能である。
【００３７】
＜４．１＞
上記実施形態では、特に、番手間で、上記式（１）の関係を充足するようにしているが、ゴルフクラブセットの中で、必ずしもすべての隣接する番手のゴルフクラブで、式（１）を充足していなくてもよい。すなわち、ゴルフクラブセットの中で、少なくとも１組の隣接する番手間で式（１）が充足されていればよい。また、ヘッド幅を、番手間で変化させる場合には、少なくとも１つの隣接する番手間で変化していればよい。
【００３８】
＜４．２＞
上記実施形態では、ユーティリティ型のゴルフクラブと、これらを含むゴルフクラブセットについて説明したが、本発明に係るゴルフクラブ、及びゴルフクラブセットは、これに限定されない。例えば、ウッド型のゴルフクラブ（例えば、１〜９番ウッド）を含むゴルフクラブセットでもよい。このようなゴルフクラブセットであっても、上述したΔＡ，ΔＢの関係を適用することができる。また、ウッド型のゴルフクラブの場合、ヘッド幅Ｌは同じでなくてもよく、例えば、番手が大きくなるにしたがって、ヘッド幅が小さくなるようにすることができる（例えば、１〜３０％ずつヘッド幅を小さくすることができる）。
【００３９】
また、本発明に係るゴルフクラブセットとは、同種のゴルフクラブを含むゴルフクラブセットを意味し、１つのゴルフクラブセットには、例えば、ユーティリティ型のゴルフクラブのみ、またはウッド型のゴルフクラブのみが含まれる。
【符号の説明】
【００４０】
１        ：フェース部
２        ：クラウン部
３        ：ソール部
５        ：ホーゼル部
Ｂ        ：フェースプログレッション
Ｐ１      ：平面
【図１】
0006465573.tif 000003
【図２】
0006465573.tif 000004
【図３】
0006465573.tif 000005
【図４】
0006465573.tif 000006
【図５】
0006465573.tif 000007